(57)【要約】      （修正有）【課題】複数種類の布地手入れ用アタッチメントを選択的に取り付けることができ、かつ操作性が良い布地手入れ用具を提供する。【解決手段】布地手入れ用具本体２のグリップ部５の先端側に設けられるアタッチメント取付部７に、アタッチメント側嵌合雌部に嵌合する取付部側嵌合雄部を形成し、取付部側嵌合雄部に、アタッチメント側嵌合雄部３１が嵌め込まれる取付部側嵌合雌部１６を形成し、取付部側嵌合雌部１６にアタッチメント側嵌合雄部３１が嵌め込まれたときに第１の布地手入れ用アタッチメント３をアタッチメント取付部７に固定するとともに、アタッチメント側嵌合雌部に取付部側嵌合雄部が嵌め込まれたときに第２の布地手入れ用アタッチメントをアタッチメント取付部に固定する係止機構６０を設ける。【選択図】図２
0003214692.tif 000002
【実用新案登録請求の範囲】
【請求項１】
棒状に延びるグリップ部と該グリップ部の先端側に設けられるアタッチメント取付部とを有する布地手入れ用具本体を備え、複数種類の布地手入れ用アタッチメントを前記アタッチメント取付部に選択的に取り付けるようにした布地手入れ用具であって、
前記布地手入れ用アタッチメントは、布地に当接される布地当接部を一側に有するとともに他側にアタッチメント側嵌合雄部を有する第１の布地手入れ用アタッチメントと、布地に当接される布地当接部を一側に有するとともに他側にアタッチメント側嵌合雌部を有する第２の布地手入れ用アタッチメントとからなり、
前記アタッチメント取付部に、前記アタッチメント側嵌合雌部に嵌合する取付部側嵌合雄部を形成し、該取付部側嵌合雄部に、前記アタッチメント側嵌合雄部が嵌め込まれる取付部側嵌合雌部を形成し、
前記取付部側嵌合雌部に前記アタッチメント側嵌合雄部が嵌め込まれたときに前記第１の布地手入れ用アタッチメントを前記アタッチメント取付部に固定するとともに、前記アタッチメント側嵌合雌部に前記取付部側嵌合雄部が嵌め込まれたときに前記第２の布地手入れ用アタッチメントを前記アタッチメント取付部に固定する係止機構を設けることを特徴とする布地手入れ用具。
【考案の詳細な説明】
【技術分野】
【０００１】
本考案は、繊維製品等の布地表面を手入れするのに用いられる布地手入れ用具に関し、特に、布地表面に生じた毛玉等の除去や、布地表面に付着した塵等を除去するのに用いられて好適な布地手入れ用具に関するものである。
【背景技術】
【０００２】
従来、セータやカーディガン等に生じた毛玉を除去したり、洋服やコート等に付着した塵を除去したりすることができる便利な布地手入れ用具が例えば特許文献１にて提案されている。
【先行技術文献】
【特許文献】
【０００３】
【特許文献１】特許第５９３４０９７号公報
【０００４】
上記特許文献１に係る布地手入れ用具は、棒状に延びるハンドルと、該ハンドルの一端側に設けられる第１のアタッチメント取付部と、該ハンドルの他端側に設けられる第２のアタッチメント取付部とを有する布地手入れ用具本体を備えている。第１のアタッチメント取付部には、研磨面を有する毛玉取り器である第１の布地手入れ用アタッチメントが取り付けられ、第２のアタッチメント取付部には、糸くず取り器、布地パイル再生器またはブラシを有する第２の布地手入れ用アタッチメントが取り付けられている。
【考案の概要】
【考案が解決しようとする課題】
【０００５】
ところで、上記従来の布地手入れ用具において、ハンドルを手で握って第１の布地手入れ用アタッチメントを操作して布地の手入れをする際には、第２のアタッチメント取付部が手首に近い所に位置するために、第２のアタッチメント取付部が手首に干渉したり、第２のアタッチメント取付部に取り付けられた第２の布地手入れ用アタッチメントが手首で隠れて良く見えないために、第２の布地手入れ用アタッチメントが手入れを施している布地に干渉したりすることがある。これとは逆に、第２の布地手入れ用アタッチメントを操作して布地の手入れをする際には、第１のアタッチメント取付部が手首に干渉したり、第１の布地手入れ用アタッチメントが手入れを施している布地に干渉したりすることがある。
【０００６】
このため、上記従来の布地手入れ用具では、ハンドルを手で握って第１の布地手入れ用アタッチメントまたは第２の布地手入れ用アタッチメントを操作して布地の手入れをする際の操作性が悪いという問題点がある。
【０００７】
本考案は、前述のような問題点に鑑みてなされたもので、複数種類の布地手入れ用アタッチメントを選択的に取り付けることができ、かつ操作性が良い布地手入れ用具を提供することを目的とするものである。
【課題を解決するための手段】
【０００８】
前記目的を達成するために、本考案による布地手入れ用具は、
棒状に延びるグリップ部と該グリップ部の先端側に設けられるアタッチメント取付部とを有する布地手入れ用具本体を備え、複数種類の布地手入れ用アタッチメントを前記アタッチメント取付部に選択的に取り付けるようにした布地手入れ用具であって、
前記布地手入れ用アタッチメントは、布地に当接される布地当接部を一側に有するとともに他側にアタッチメント側嵌合雄部を有する第１の布地手入れ用アタッチメントと、布地に当接される布地当接部を一側に有するとともに他側にアタッチメント側嵌合雌部を有する第２の布地手入れ用アタッチメントとからなり、
前記アタッチメント取付部に、前記アタッチメント側嵌合雌部に嵌合する取付部側嵌合雄部を形成し、該取付部側嵌合雄部に、前記アタッチメント側嵌合雄部が嵌め込まれる取付部側嵌合雌部を形成し、
前記取付部側嵌合雌部に前記アタッチメント側嵌合雄部が嵌め込まれたときに前記第１の布地手入れ用アタッチメントを前記アタッチメント取付部に固定するとともに、前記アタッチメント側嵌合雌部に前記取付部側嵌合雄部が嵌め込まれたときに前記第２の布地手入れ用アタッチメントを前記アタッチメント取付部に固定する係止機構を設けることを特徴とするものである（第１考案）。
【考案の効果】
【０００９】
本考案の布地手入れ用具によれば、第１の布地手入れ用アタッチメントのアタッチメント側嵌合雄部をアタッチメント取付部の取付部側嵌合雄部に形成された取付部側嵌合雌部に嵌め込むことによってアタッチメント取付部に第１の布地手入れ用アタッチメントが取り付けられる一方、第２の布地手入れ用アタッチメントのアタッチメント側嵌合雌部とアタッチメント取付部の取付部側嵌合雄部とを嵌合させることによってアタッチメント取付部に第２の布地手入れ用アタッチメントが取り付けられるので、複数種類の布地手入れ用アタッチメントを選択的に取り付けることができる。
また、本考案の布地手入れ用具によれば、グリップ部の先端側に設けられたアタッチメント取付部に選択的に取り付けられた第１の布地手入れ用アタッチメントまたは第２の布地手入れ用アタッチメントを、グリップ部を握って操作して布地の手入れをする際に、グリップ部の基端側が手首や布地に干渉することがないので、従来の布地手入れ用具と比べて操作性が良いという利点がある。
【図面の簡単な説明】
【００１０】
【図１】本考案の一実施形態に係る布地手入れ用具の外観斜視図で、（ａ）は第１の布地手入れ用アタッチメント取付時の正面側斜視図、（ｂ）は第１の布地手入れ用アタッチメント取付時の背面側斜視図、（ｃ）は第２の布地手入れ用アタッチメント取付時の正面側斜視図、（ｄ）は第２の布地手入れ用アタッチメント取付時の背面側斜視図である。
【図２】同布地手入れ用具の分解斜視図で、（ａ）は第１の布地手入れ用アタッチメント取付時の背面側斜視図、（ｂ）は第１の布地手入れ用アタッチメント取付時の正面側斜視図である。
【図３】同布地手入れ用具の分解斜視図で、（ａ）は第２の布地手入れ用アタッチメント取付時の背面側斜視図、（ｂ）は第２の布地手入れ用アタッチメント取付時の正面側斜視図である。
【図４】取付構造体を示し、（ａ）は正面図、（ｂ）は底面図、（ｃ）は背面図、（ｄ）は（ａ）のＡ−Ａ線断面図である。
【図５】第１の布地手入れ用アタッチメントの構成部品を示し、（ａ）はベース部材の正面図、（ｂ）はベース部材の側面図、（ｃ）はベース部材の底面図、（ｄ）はシート押え具の正面図、（ｅ）はシート押え具の側面図である。
【図６】第２の布地手入れ用アタッチメントの構成部品を示し、（ａ）はベース部材の正面図、（ｂ）はベース部材の底面図、（ｃ）は（ａ）のＢ−Ｂ線断面図、（ｄ）は除塵布押え具の正面図、（ｅ）は除塵布押え具の底面図、（ｆ）は（ｄ）のＣ−Ｃ線断面図である。
【図７】係止機構を示し、（ａ）は正面図、（ｂ）は底面図、（ｃ）は背面図である。
【図８】係止機構の操作機構の構成部品である押しレバーの全体斜視図である。
【考案を実施するための形態】
【００１１】
次に、本考案による布地手入れ用具の具体的な実施の形態について、図面を参照しつつ説明する。
【００１２】
＜布地手入れ用具の概略説明＞
図１（ａ）〜（ｄ）に示されるように、本実施形態の布地手入れ用具１は、布地手入れ用具本体２に選択的に取り付けられる複数の布地手入れ用アタッチメント３，４を用いて、布地表面に生じた毛玉等の除去や、布地表面に付着した塵等を除去するものである。なお、布地手入れ用具本体２および布地手入れ用アタッチメント３，４はいずれも、複数の部品を組み立てて構成されるもので、略全ての部品は樹脂成形によって作製されている。
【００１３】
＜布地手入れ用具本体の説明＞
布地手入れ用具本体２は、棒状に延びるグリップ部５と、このグリップ部５の先端側に軸部６を介して設けられるアタッチメント取付部７とを有している。
【００１４】
グリップ部５は、手で握ったときに手指にフィットするように適宜に形成される湾曲部および括れ部をそれぞれ有し、要所が例えばエラストマー等からなる滑り止め部材８で構成されている。
【００１５】
図２および図３に示されるように、アタッチメント取付部７は、軸部６から前方に進むに従って縦横に所定の比率で広がる断面横長楕円筒状のハウジング１０と、このハウジング１０の開口部に装着される取付構造体１１とにより構成されている。なお、ハウジング１０は、軸部６の先端側に一体的に形成される下方側が開かれた上側分割ハウジング１０ａに、上側分割ハウジング１０ａとは別体に成形される下側分割ハウジング１０ｂがその上側分割ハウジング１０ａの下方側を覆うように装着されてなるものである。
【００１６】
＜取付構造体の説明＞
図４（ａ）〜（ｄ）に示されるように、取付構造体１１は、外観視横長楕円錐台形状の取付部側嵌合雄部１２を備えている。取付部側嵌合雄部１２は、ハウジング１０の開口部と略相似形状の断面横長楕円筒状で前方に向かって進むに従ってやや先細る周壁部１３に、その周壁部１３の前方側を塞ぐように面板部１４が形成されてなるものである。この取付部側嵌合雄部１２における周壁部１３の基端部には、ハウジング１０の開口部端面に突き当てられるように全周に亘って外向きに張り出すようにフランジ部１５が形成されている。また、面板部１４における前方側に向けた一側の板面には、横方向に長い長穴状の取付部側嵌合雌部１６が形成され、取付部側嵌合雌部１６の奥面（底面）には、横方向に所定間隔をあけて横方向に長い長方形状の一対の差込孔１７が形成されている。
【００１７】
図１（ａ）〜（ｄ）に示されるように、複数の布地手入れ用アタッチメント３，４は、第１の布地手入れ用アタッチメント３と第２の布地手入れ用アタッチメント４とからなり、第１の布地手入れ用アタッチメント３は、主として布地表面に生じた毛玉等を除去する際に用いるものであり、第２の布地手入れ用アタッチメント４は、主として布地表面に付着した塵等を除去する際に用いるものである。
【００１８】
＜第１の布地手入れ用アタッチメントの説明＞
図２（ａ）および（ｂ）に示されるように、第１の布地手入れ用アタッチメント３は、主として、ベース部材２１、毛玉取りシート２２およびシート押え具２３により構成されている。
【００１９】
図５（ａ）〜（ｃ）に示されるように、ベース部材２１は、取付構造体１１に形成された取付部側嵌合雌部１６に嵌合可能な板状のアタッチメント側嵌合雄部３１を有している。アタッチメント側嵌合雄部３１の一側の板面には、横方向に細長く延びるシート支持部３２が突設され、アタッチメント側嵌合雄部３１の他側の板面には、取付構造体１１に形成された一対の差込孔１７に差込可能な一対の差込片３３が突設されている。ここで、シート支持部３２の両側面における先端寄りの部位には、全長に亘って括れ部３２ａが形成されている。また、一対の差込片３３には、互いに内向きで対向する一対の係止爪３４が形成され、一対の係止爪３４には、内側に向って前方に傾斜する一対のテーパ面３４ａが形成されている。
【００２０】
図２（ａ）および（ｂ）に示されるように、毛玉取りシート２２は、ベース部材２１のシート支持部３２の頂部から両側面に垂れ掛けることができる大きさの帯状（シート支持部３２への装着時には逆Ｕの字状）に形成され、シート支持部３２に掛けられた部分が布地に当接される布地当接部となる。毛玉取りシート２２としては、例えば炭化ケイ素等からなる砥粒が紙の一側の面に塗布されてなる、いわゆるサンドペーパが好適であり、例えば４０番〜１２００番の粗さの中から毛玉の大きさに応じて適宜に選択される。
【００２１】
図５（ｄ）および（ｅ）に示されるように、シート押え具２３は、ベース部材２１のシート支持部３２と共にそのシート支持部３２の頂部から両側面に垂れ掛けられた毛玉取りシート２２が挿通可能なスリット３５を有する横長の板状部材からなるものである。スリット３５は、シート支持部３２と共にそのシート支持部３２の頂部から両側面に垂れ掛けられた毛玉取りシート２２を当該スリット３５に通す際に、毛玉取りシート２２に対し所定の締め代を持たせた大きさに設定されている。こうして、スリット３５の内周縁とシート支持部３２との間に毛玉取りシート２２を挟み込むようにベース部材２１に対しシート押え具２３を押し込むことにより、毛玉取りシート２２がシート支持部３２とシート押え具２３とによって強固に挟持されてベース部材２１に固定されるようになっている。
【００２２】
＜第２の布地手入れ用アタッチメントの説明＞
図３（ａ）および（ｂ）に示されるように、第２の布地手入れ用アタッチメント４は、主として、ベース部材４１、除塵布４２および除塵布押え具４３により構成されている。
【００２３】
図６（ａ）〜（ｃ）に示されるように、ベース部材４１は、外観視横長楕円錐台形状に形成されており、取付構造体１１における取付部側嵌合雄部１２が嵌合するアタッチメント側嵌合雌部５１を有している。アタッチメント側嵌合雌部５１は、取付構造体１１における取付部側嵌合雄部１２の周壁部１３が内側にぴったりと嵌り込むような形状と大きさの周壁部５２と、周壁部５２の前方側を塞ぐように形成される面板部５３とによって形成されている。ここで、周壁部５２の外壁面には、交互に繰り返す多数の凹部と凸部とによって摩擦係合面部５４が全周に亘って形成され、周壁部５２の基端部には、取付構造体１１のフランジ部１５に突き当てられるように全周に亘って外向きに張り出すフランジ部５５が形成されている。また、面板部５３における前方側に向けた一側の板面の反対側（他側）の板面には、取付構造体１１に形成された一対の差込孔１７に差込可能な一対の差込片５６が突設され、一対の差込片５６には、互いに内向きで対向する一対の係止爪５７が形成され、一対の係止爪５７には、内側に向って前方に傾斜する一対のテーパ面５７ａが形成されている。
【００２４】
図３（ａ）および（ｂ）に示されるように、除塵布４２は、ベース部材４１の面板部５３の一側の板面を覆うとともに面板部５３の一側の板面から周壁部５２に垂れ掛けることができる大きさに形成され、面板部５３の一側の板面を覆っている部分が布地に当接される布地当接部となり、パイル状に起毛させた例えばナイロン等の合成繊維からなるブラシ（リントブラシ）が植設されている。
【００２５】
図６（ｄ）〜（ｆ）に示されるように、除塵布押え具４３は、ベース部材４１における面板部５３の外周縁から周壁部５２に亘って被せることができる横長楕円環状に形成され、除塵布４２における面板部５３の一側の板面を覆っている主要部分を露出させることができる開口部５８を有している。この除塵布押え具４３は、ベース部材４１に掛けられた除塵布４２を面板部４４における一側の板面の外周縁およびそれに連続する周壁部４３との間に挟むようにベース部材４１に押込み装着した際に、除塵布４２に対し所定の締め代を持たせた大きさに設定されている。こうして、除塵布押え具４３とベース部材４１との間に除塵布４２を挟むようにベース部材４１に対し除塵布押え具４３を押込み装着することにより、除塵布４２がベース部材４１における特に周壁部５２と除塵布押え具４３とによって強固に挟持されてベース部材４１に固定されるようになっている。このときに、ベース部材４１における周壁部５２の外壁面に設けられた摩擦係合面部５４によってベース部材４１の周壁部５２と除塵布４２との摩擦抵抗が増すため、第２の布地手入れ用アタッチメント４の使用時にベース部材４１に対し除塵布４２が位置ずれするのを確実に防ぐことができる。
【００２６】
＜係止機構の説明＞
図２（ａ）および（ｂ）並びに図３（ａ）および（ｂ）に示されるように、アタッチメント取付部７の内部、すなわちハウジング１０と取付構造体１１とで区画される空間には、係止機構６０が組み込まれている。係止機構６０は、図２（ｂ）に示されるように、取付部側嵌合雌部１６にアタッチメント側嵌合雄部３１が嵌め込まれたときに第１の布地手入れ用アタッチメント３をアタッチメント取付部７に固定するとともに、図３（ｂ）に示されるように、アタッチメント側嵌合雌部５１に取付部側嵌合雄部１２が嵌合したときに第２の布地手入れ用アタッチメント４をアタッチメント取付部７に固定する役目をする。
【００２７】
図７（ａ）〜（ｃ）に示されるように、係止機構６０は、取付構造体１１における取付部側嵌合雌部１６の奥面に形成された一対の差込孔１７に対応するように横方向に間隔をあけて配設される一対の係止板６１と、一対の係止板６１を横方向外向きに付勢するように一対の係止板６１を接続するＳ字形スプリング６２と、係止板６１を案内する役目と係止板６１を取付構造体１１へ取り付ける役目とを兼ねるガイド兼取付具６３とを備えている。
【００２８】
係止板６１は、横方向に延び縦方向に間隔をあけて平行に並ぶように穿設される一対のスリット６４を有する全体が正方形状の板状部材からなるものである。係止板６１には、第１の布地手入れ用アタッチメント３および第２の布地手入れ用アタッチメント４のそれぞれにおける係止爪３４，５７のテーパ面３４ａ，５７ａと係合可能なテーパ面６１ａが形成されている。
【００２９】
ガイド兼取付具６３は、一対のスリット６４に挿通可能な一対のフランジ部６５と、これらフランジ部６５の基端部同士を繋ぐ押え板部６６とを有している。そして、取付構造体１１における面板部１４の他側の板面に係止板６１の一側の板面が当接され、ガイド兼取付具６３における一対のフランジ部６５が、係止板６１の一対のスリット６４を通して、取付構造体１１の面板部１４に一対のフランジ部６５に対応するように形成された取付穴１８（図４（ｃ）参照）に圧入されることで、ガイド兼取付具６３が取付構造体１１に固定される。
【００３０】
こうして、係止板６１における一対のスリット６４の間の部分がガイド兼取付具６３の押え板部６６と取付構造体１１の面板部１４とによって横方向に往復移動自在に保持されるとともに、係止板６１の一対のスリット６４に差し込まれた一対のフランジ部６４によって係止板６１の横方向の移動が案内され、差込孔１７（図４（ａ）および（ｂ）参照）を通して差し込まれた差込片３３，５６の係止爪３４，５７と係合して係止爪３４，５７が引っ掛かる係止位置と、係止爪３４，５７から外れる係止解除位置との間でガイド兼取付具６３の案内により係止板６１が横方向に往復移動することができるようになっている。
【００３１】
＜係止機構の操作機構の説明＞
図２（ａ）および（ｂ）並びに図３（ａ）および（ｂ）に示されるように、アタッチメント取付部７の内部、すなわちハウジング１０と取付構造体１１とで区画される空間には、前述した係止機構６０に加えて、その係止機構６０を操作するための操作機構７０が組み込まれている。
【００３２】
操作機構７０は、主として、一対の棒部材７１、押レバー７２および押釦７３により構成されている。一対の棒部材７１は、図７（ｂ）および（ｃ）に示されるように、一対の係止板６１とＳ字形スプリング６２との接続部分に、後方に向かって円柱状に突設されている。図８に示されるように、押レバー７２は、二又形状に形成されており、一対の棒部材７１を挟み込むように延びる一対の操作爪部７４と、一対の操作爪部７４の間を円弧状に切り欠くように形成される円弧状凹部７５と、一対の操作爪部７４の基部側に連設される柄部７６とを有している。そして、押レバー７２における一対の操作爪部７４で一対の棒部材７１を挟み込むようにして円弧状凹部７５を一対の棒部材７１に接触させる一方、布地手入れ用具本体２におけるアタッチメント取付部７と軸部６との境界近傍に位置するように上側分割ハウジング１０ａに形成された貫通孔７７（図２（ａ）および図３（ａ）参照）に柄部７６を通し、該柄部７６に押釦７３を装着することで操作機構７０が組み立てられる。
【００３３】
操作機構７０において、押釦７３の押操作を行っていない初期状態では、Ｓ字形スプリング６２の付勢力とガイド兼取付具６３とにより一対の係止板６１が係止位置で保たれ、一対の係止板６１は、取付構造体１１に形成された一対の差込孔１７を通して差し込まれる差込片３３，５６の係止爪３４，５７と係合可能な状態位置に保たれている。この初期状態において、押釦７３の押操作を行うと、押レバー７２が前方に向かって押進され、押レバー７２の円弧状凹部７５に接触されている一対の棒部材７１が押レバー７２の押進動作に連動して円弧状凹部７５に摺接しながら互いに近づくように移動される。これにより、一対の係止板６１の状態位置が、係止爪３４，５７から外れる係止解除位置へと変化する。
【００３４】
以上に述べたように構成される布地手入れ用具１において、第１の布地手入れ用アタッチメント３を用いて布地表面に生じた毛玉等を除去する際には、まず、第１の布地手入れ用アタッチメント３における一対の差込片３３を、アタッチメント取付部７における一対の差込孔１７に差し込むとともに、第１の布地手入れ用アタッチメント３におけるアタッチメント側嵌合雄部３１をアタッチメント取付部７における取付部側嵌合雌部１６に嵌め込む。このとき、一対の差込片３３に設けられた一対の係止爪３４のそれぞれのテーパ面３４ａと、アタッチメント取付部７に装備された一対の係止板６１のそれぞれのテーパ面６１ａとが係合し、両テーパ面３４ａ，６１ａ間に作用する後方への押付力の横方向分力の作用により、係止位置にある一対の係止板６１がＳ字形スプリング６２の付勢力に抗して互いに近づく方向に移動される。そして、アタッチメント側嵌合雄部３１が取付部側嵌合雌部１６に完全に嵌め込まれると、Ｓ字形スプリング６２の付勢力によって一対の係止板６１が係止位置に移動されて一対の係止爪３４に引っ掛かり、第１の布地手入れ用アタッチメント３がアタッチメント取付部７に固定される。
【００３５】
上記のようにして、アタッチメント取付部７に取り付けられた第１の布地手入れ用アタッチメント３をアタッチメント取付部７から取り外す際には、押釦７３の押操作を行う。これにより、一対の係止板６１が係止解除位置へと移動され、一対の係止爪３４と一対の係止板６１との係止が解除される。この係止解除の状態において、第１の布地手入れ用アタッチメント３をアタッチメント取付部７から引き離すように引っ張れば、アタッチメント取付部７から第１の布地手入れ用アタッチメント３を取り外すことができる。
【００３６】
次に、第２の布地手入れ用アタッチメント４を用いて布地表面に付着した塵等を除去する際には、まず、第２の布地手入れ用アタッチメント４における一対の差込片５６を、アタッチメント取付部７における一対の差込孔１７に差し込むとともに、第２の布地手入れ用アタッチメント４におけるアタッチメント側嵌合雌部５１とアタッチメント取付部７における取付部側嵌合雄部１２とを係合させる。このとき、一対の差込片５６に設けられた一対の係止爪５７のそれぞれのテーパ面５７ａと、アタッチメント取付部７に装備された一対の係止板６１のそれぞれのテーパ面６１ａとが係合し、両テーパ面５７ａ，６１ａ間に作用する後方への押付力の横方向分力の作用により、係止位置にある一対の係止板６１がＳ字形スプリング６２の付勢力に抗して互いに近づく方向に移動される。そして、アタッチメント側嵌合雌部５１と取付部側嵌合雄部１２とが完全に係合すると、Ｓ字形スプリング６２の付勢力によって一対の係止板６１が係止位置に移動されて一対の係止爪５７に引っ掛かり、第２の布地手入れ用アタッチメント４がアタッチメント取付部７に固定される。
【００３７】
上記のようにして、アタッチメント取付部７に取り付けられた第２の布地手入れ用アタッチメント４をアタッチメント取付部７から取り外す際には、前述した第１の布地手入れ用アタッチメント３の取外動作と同様に、押釦７３の押操作を行い、第２の布地手入れ用アタッチメント４をアタッチメント取付部７から引き離すように引っ張れば、アタッチメント取付部７から第２の布地手入れ用アタッチメント４を取り外すことができる。
【００３８】
＜作用効果の説明＞
本実施形態の布地手入れ用具１によれば、第１の布地手入れ用アタッチメント３のアタッチメント側嵌合雄部３１をアタッチメント取付部７の取付部側嵌合雄部１２に形成された取付部側嵌合雌部１６に嵌め込むことによってアタッチメント取付部７に第１の布地手入れ用アタッチメント３が取り付けられる一方、第２の布地手入れ用アタッチメント４のアタッチメント側嵌合雌部５１とアタッチメント取付部７の取付部側嵌合雄部１２とを嵌合させることによってアタッチメント取付部７に第２の布地手入れ用アタッチメント４が取り付けられるので、複数種類の布地手入れ用アタッチメント３，４を選択的に取り付けることができる。
【００３９】
また、本実施形態の布地手入れ用具１によれば、グリップ部５の先端側に設けられたアタッチメント取付部７に選択的に取り付けられた第１の布地手入れ用アタッチメント３または第２の布地手入れ用アタッチメント４を、グリップ部５を握って操作して布地の手入れをする際に、グリップ部５の基端側が手首や布地に干渉することがないので、従来の係る布地手入れ用具と比べて操作性が良いという利点がある。
【００４０】
以上、本考案の布地手入れ用具について、一実施形態に基づいて説明したが、本考案は上記実施形態に記載した構成に限定されるものではなく、その趣旨を逸脱しない範囲において適宜その構成を変更することができるものである。
【産業上の利用可能性】
【００４１】
本考案の布地手入れ用具は、複数種類の布地手入れ用アタッチメントを選択的に取り付けることができ、かつ操作性が良いという特性を有していることから、繊維製品等の布地表面を手入れ、特に、布地表面に生じた毛玉等の除去や、布地表面に付着した塵等を除去する用途に好適に用いることができ、産業上の利用可能性が大である。
【符号の説明】
【００４２】
１    布地手入れ用具
２    布地手入れ用具本体
３    第１の布地手入れ用アタッチメント
４    第２の布地手入れ用アタッチメント
５    グリップ部
７    アタッチメント取付部
１２  取付部側嵌合雄部
１６  取付部側嵌合雌部
２２  毛玉取りシート（布地当接部）
３１  アタッチメント側嵌合雄部
４２  除塵布（布地当接部）
５１  アタッチメント側嵌合雌部
６０  係止機構
【図１】
0003214692.tif 000003
【図２】
0003214692.tif 000004
【図３】
0003214692.tif 000005
【図４】
0003214692.tif 000006
【図５】
0003214692.tif 000007
【図６】
0003214692.tif 000008
【図７】
0003214692.tif 000009
【図８】
0003214692.tif 000010